(57)【要約】【課題】必要な情報をリアルタイムに提供する。【解決手段】ＨＭＤサーバ１０が、販売店Ａに陳列されている各商品の概要がそれぞれ区分けされた区分け領域に掲載されている商品概要情報掲載画面を消費者用ＨＭＤユニット２１に対して送信し、消費者用ＨＭＤユニット２１からの視点領域情報を取得し、取得した視点領域情報が示す視点領域に対応する区分け領域を特定し、特定した区分け領域に掲載されている商品の詳細情報が掲載されている商品詳細情報掲載画面を選択して消費者用ＨＭＤユニット２１に対して送信するとともに、消費者用ＨＭＤユニット２１が、受信した商品概要情報掲載画面や商品詳細情報掲載画面をＨＭＤ３２に表示し、ＨＭＤ３２に表示されている画面において消費者Ｘが所定期間以上連続して視線を留めた視点領域を検出してＨＭＤサーバ１０に送信する。【選択図】図４
2008015634.tif 000002
【特許請求の範囲】
【請求項１】
販売店に陳列されている商品を選択する消費者に装着される消費者用ヘッドマウントディスプレイユニットと、該消費者用ヘッドマウントディスプレイユニットに対して前記販売店に陳列されている或いは販売店から注文可能な商品に関連する商品関連情報を提供するサーバ装置とを含む商品関連情報提供システムであって、
前記サーバ装置は、
販売店に陳列されている或いは販売店から注文可能な各商品の概要がそれぞれ区分けされた区分け領域に掲載されている商品概要情報掲載画面を前記消費者用ヘッドマウントディスプレイユニットに対して送信する商品概要情報掲載画面送信手段と、
前記消費者用ヘッドマウントディスプレイユニットが備える視点領域検出装置によって検出された視点領域情報を取得する視点領域情報取得手段と、
取得した視点領域情報が示す視点領域に対応する区分け領域を特定する区分け領域特定手段と、
特定した区分け領域に掲載されている商品の詳細情報が掲載されている商品詳細情報掲載画面を選択する選択手段と、
該選択した商品詳細情報掲載画面を前記消費者用ヘッドマウントディスプレイユニットに対して送信する商品詳細情報掲載画面送信手段とを有し、
前記消費者用ヘッドマウントディスプレイユニットは、
受信した商品概要情報掲載画面や商品詳細情報掲載画面を前記消費者用ヘッドマウントディスプレイユニットが備えるヘッドマウントディスプレイに表示する画面表示手段と、
前記ヘッドマウントディスプレイに表示されている画面において消費者が所定期間以上連続して視線を留めた視点領域を検出する視点領域検出装置と、
該視点領域検出装置が検出した視点領域を前記サーバ装置に送信する視点領域送信手段とを有する
ことを特徴とする商品関連情報提供システム。
【請求項２】
商品概要情報掲載画面は、販売店に陳列されている或いは販売店から注文可能な各商品の概要が掲載されているカタログ画面である
請求項１記載の商品関連情報提供システム。
【請求項３】
商品詳細情報掲載画面は、販売店に陳列されている各商品の詳細として、該当する商品の商品名の他、当該商品の価格、産地、写真、入荷日、陳列場所、注文日から店舗へ到着する日までの時間のうち少なくとも１つを含む詳細情報が掲載された画面である
請求項１または請求項２記載の商品関連情報提供システム。
【請求項４】
前記サーバ装置は、前記領域特定手段が特定した区分け領域に掲載されている商品を集計する商品集計手段を有する
請求項１から請求項３のうちいずれかに記載の商品関連情報提供システム。
【請求項５】
前記サーバ装置は、商品概要情報掲載画面に設けられている各区分け領域に概要を掲載する各商品を決定する概要掲載商品決定手段を備え、
該概要掲載商品決定手段は、前記商品集計手段の集計結果にもとづいて前記各区分け領域に概要を掲載する各商品を決定する
請求項４記載の商品関連情報提供システム。
【請求項６】
販売店に陳列されている商品を選択する消費者に装着される消費者用ヘッドマウントディスプレイユニットと、該消費者用ヘッドマウントディスプレイユニットに対して前記販売店に陳列されている或いは販売店から注文可能な商品に関連する商品関連情報を提供するサーバ装置とが実行する商品関連情報提供方法であって、
前記サーバ装置が、
販売店に陳列されている或いは販売店から注文可能な各商品の概要がそれぞれ区分けされた区分け領域に掲載されている商品概要情報掲載画面を前記消費者用ヘッドマウントディスプレイユニットに対して送信する商品概要情報掲載画面送信ステップと、
前記消費者用ヘッドマウントディスプレイユニットからの視点領域情報を取得する視点領域情報取得ステップと、
取得した視点領域情報が示す視点領域に対応する区分け領域を特定する区分け領域特定ステップと、
特定した区分け領域に掲載されている商品の詳細情報が掲載されている商品詳細情報掲載画面を選択する選択ステップと、
該選択した商品詳細情報掲載画面を前記消費者用ヘッドマウントディスプレイユニットに対して送信する商品詳細情報掲載画面送信ステップとを含み、
前記消費者用ヘッドマウントディスプレイユニットが、
受信した商品概要情報掲載画面や商品詳細情報掲載画面を前記消費者用ヘッドマウントディスプレイユニットが備えるヘッドマウントディスプレイに表示する画面表示ステップと、
前記ヘッドマウントディスプレイに表示されている画面において消費者が所定期間以上連続して視線を留めた視点領域を検出する視点領域検出ステップと、
該視点領域検出ステップにて検出した視点領域を前記サーバ装置に送信する視点領域送信ステップとを含む
ことを特徴とする商品関連情報提供方法。
【請求項７】
商品概要情報掲載画面は、販売店に陳列されている或いは販売店から注文可能な各商品の概要が掲載されているカタログ画面である
請求項６記載の商品関連情報提供方法。
【請求項８】
商品詳細情報掲載画面は、販売店に陳列されている各商品の詳細として、該当する商品の商品名の他、当該商品の価格、産地、写真、入荷日、陳列場所、注文日から店舗へ到着する日までの時間のうち少なくとも１つを含む詳細情報が掲載された画面である
請求項６または請求項７記載の商品関連情報提供方法。
【請求項９】
前記サーバ装置が、前記領域特定ステップにて特定した区分け領域に掲載されている商品を集計する商品集計ステップを含む
請求項６から請求項８のうちいずれかに記載の商品関連情報提供方法。
【請求項１０】
前記サーバ装置が、商品概要情報掲載画面に設けられている各区分け領域に概要を掲載する各商品を決定する概要掲載商品決定ステップを含み、
該概要掲載商品決定ステップでは、前記商品集計ステップでの集計結果にもとづいて前記各区分け領域に概要を掲載する各商品を決定する
請求項９記載の商品関連情報提供方法。
【発明の詳細な説明】
【技術分野】
【０００１】
本発明は、販売店に陳列されている商品を選択する消費者に装着される消費者用ヘッドマウントディスプレイユニットと、該消費者用ヘッドマウントディスプレイユニットに対して前記販売店に陳列されている商品に関連する商品関連情報を提供するサーバ装置とを含む商品関連情報提供システム、及び商品関連情報提供方法に関する。
【背景技術】
【０００２】
従来から、人間の頭部に装着され、その装着者の目前に画像等を表示するヘッドマウントディスプレイ（ＨＭＤ）を用いて、装着者に各種の情報を提供するシステムが提案されている（例えば、特許文献１参照）。
【０００３】
また、従来から、運転者トレーニングセッション中に運転者が見ているものの座標を感知し、所定の凝視ターゲットをみたか否かを決定するものがある（例えば、特許文献２参照）。
【０００４】
【特許文献１】特開２００４−１０１３７２号公報
【特許文献２】特許第３７８７４９３号
【発明の開示】
【発明が解決しようとする課題】
【０００５】
しかしながら、上述した従来の技術では、あらかじめ定められた内容の情報をヘッドマウントディスプレイに表示したり、所定の領域を見たか否かを判定するだけであるため、必要な情報をリアルタイムに提供することはできないという問題があった。
【０００６】
本発明は、上述した問題を解消し、ヘッドマウントディスプレイを利用したシステムにおいて、必要な情報をリアルタイムに提供することができるようにすることを目的とする。
【課題を解決するための手段】
【０００７】
本発明の商品関連情報提供システムは、販売店に陳列されている商品を選択する消費者に装着される消費者用ヘッドマウントディスプレイユニットと、該消費者用ヘッドマウントディスプレイユニットに対して前記販売店に陳列されている或いは販売店から注文可能な商品に関連する商品関連情報を提供するサーバ装置とを含む商品関連情報提供システムであって、前記サーバ装置は、販売店に陳列されている或いは販売店から注文可能な各商品の概要がそれぞれ区分けされた区分け領域に掲載されている商品概要情報掲載画面を前記消費者用ヘッドマウントディスプレイユニットに対して送信する商品概要情報掲載画面送信手段と、前記消費者用ヘッドマウントディスプレイユニットが備える視点領域検出装置によって検出された視点領域情報を取得する視点領域情報取得手段と、取得した視点領域情報が示す視点領域に対応する区分け領域を特定する区分け領域特定手段と、特定した区分け領域に掲載されている商品の詳細情報が掲載されている商品詳細情報掲載画面を選択する選択手段と、該選択した商品詳細情報掲載画面を前記消費者用ヘッドマウントディスプレイユニットに対して送信する商品詳細情報掲載画面送信手段とを有し、前記消費者用ヘッドマウントディスプレイユニットは、受信した商品概要情報掲載画面や商品詳細情報掲載画面を前記消費者用ヘッドマウントディスプレイユニットが備えるヘッドマウントディスプレイに表示する画面表示手段と、前記ヘッドマウントディスプレイに表示されている画面において消費者が所定期間以上連続して視線を留めた視点領域を検出する視点領域検出装置と、該視点領域検出装置が検出した視点領域を前記サーバ装置に送信する視点領域送信手段とを有することを特徴とする。
【０００８】
上記のように構成したことで、消費者用ヘッドマウントディスプレイユニットから取得した視点領域情報にもとづいて、消費者が注目している商品の詳細情報を消費者用ヘッドマウントディスプレイユニットのヘッドマウントディスプレイに表示させることができ、必要な情報をリアルタイムに提供することができるようになる。
【０００９】
商品概要情報掲載画面は、例えば、販売店に陳列されている或いは販売店から注文可能な各商品の概要が掲載されているカタログ画面である。
【００１０】
商品詳細情報掲載画面は、例えば、販売店に陳列されている各商品の詳細として、該当する商品の商品名の他、当該商品の価格、産地、写真、入荷日、陳列場所、注文日から店舗へ到着する日までの時間のうち少なくとも１つを含む詳細情報が掲載された画面である。
【００１１】
前記サーバ装置は、前記領域特定手段が特定した区分け領域に掲載されている商品を集計する商品集計手段を有する構成とされていてもよい。
【００１２】
前記サーバ装置は、商品概要情報掲載画面に設けられている各区分け領域に概要を掲載する各商品を決定する概要掲載商品決定手段を備え、該概要掲載商品決定手段は、前記商品集計手段の集計結果にもとづいて前記各区分け領域に概要を掲載する各商品を決定するように構成されていてもよい。
【００１３】
また、本発明の商品関連情報提供方法は、販売店に陳列されている商品を選択する消費者に装着される消費者用ヘッドマウントディスプレイユニットと、該消費者用ヘッドマウントディスプレイユニットに対して前記販売店に陳列されている或いは販売店から注文可能な商品に関連する商品関連情報を提供するサーバ装置とが実行する商品関連情報提供方法であって、前記サーバ装置が、販売店に陳列されている或いは販売店から注文可能な各商品の概要がそれぞれ区分けされた区分け領域に掲載されている商品概要情報掲載画面を前記消費者用ヘッドマウントディスプレイユニットに対して送信する商品概要情報掲載画面送信ステップと、前記消費者用ヘッドマウントディスプレイユニットからの視点領域情報を取得する視点領域情報取得ステップと、取得した視点領域情報が示す視点領域に対応する区分け領域を特定する区分け領域特定ステップと、特定した区分け領域に掲載されている商品の詳細情報が掲載されている商品詳細情報掲載画面を選択する選択ステップと、該選択した商品詳細情報掲載画面を前記消費者用ヘッドマウントディスプレイユニットに対して送信する商品詳細情報掲載画面送信ステップとを含み、前記消費者用ヘッドマウントディスプレイユニットが、受信した商品概要情報掲載画面や商品詳細情報掲載画面を前記消費者用ヘッドマウントディスプレイユニットが備えるヘッドマウントディスプレイに表示する画面表示ステップと、前記ヘッドマウントディスプレイに表示されている画面において消費者が所定期間以上連続して視線を留めた視点領域を検出する視点領域検出ステップと、該視点領域検出ステップにて検出した視点領域を前記サーバ装置に送信する視点領域送信ステップとを含むことを特徴とする。
【発明の効果】
【００１４】
本発明によれば、消費者用ヘッドマウントディスプレイユニットから取得した視点領域情報にもとづいて、消費者が注目している商品の詳細情報を消費者用ヘッドマウントディスプレイユニットのヘッドマウントディスプレイに表示させることができ、必要な情報をリアルタイムに提供することができるようになる。
【発明を実施するための最良の形態】
【００１５】
以下、本発明の一実施の形態について図面を参照して説明する。
図１は、本発明の一実施の形態に係るＨＭＤシステム１００の構成の例を示すブロック図である。図１に示すように、ＨＭＤシステム１００は、ＨＭＤサーバ１０と、消費者用ＨＭＤユニット２１〜２Ｎ（Ｎ：任意の正の整数）と、基地局４０とを含む。
【００１６】
ＨＭＤサーバ１０は、例えば専用回線やインターネットなどの通信ネットワーク５０に接続されている。消費者用ＨＭＤユニット２１〜２Ｎは、それぞれ、無線通信回線によって基地局４０に接続し、基地局４０を介して通信ネットワーク５０に接続される。
【００１７】
ＨＭＤサーバ１０は、ＷＷＷサーバなどの情報処理装置によって構成される。ＨＭＤサーバ１０は、例えばＨＭＤシステム１００のシステム管理者によって管理されるサーバであり、商品に関連する商品関連情報などの各種の情報が格納されるＤＢ１１を備えている。なお、ＤＢ１１は、ＨＭＤサーバ１０の内部にあっても外部にあってもよい。
【００１８】
消費者用ＨＭＤユニット２１〜２Ｎは、それぞれ同一の構成とされるため、ここでは消費者用ＨＭＤユニット２１について説明する。消費者用ＨＭＤユニット２１は、例えば図２に示すように、販売店に陳列されている商品を選択する消費者の頭部に装着され、ＣＣＤカメラ装置などの小型カメラ装置３１と、装着者に対して各種の情報を表示するＨＭＤ３２と、ＨＭＤ３２等が設置されるフレーム３３とを含む。なお、図示はしないが、消費者用ＨＭＤユニット２１には、無線通信を行うための無線通信部と、装着者の視点を検出するための視点検出部と、各種の制御を行うための制御部とが搭載されており、さらに装着者により操作される操作部が設けられている。この操作部は、消費者用ＨＭＤユニット２１を装着した状態で操作可能となるように、通信ケーブルによって制御部に接続される。
【００１９】
本例では、ＨＭＤ３２は、装着時に、装着者の片目の目前または一部に配置される。従って、装着者は、片目でＨＭＤ３２を閲覧し、他方の目または両目で現実の空間（実空間）と投影画像を片目で平面的に重複し、あるいは両目で立体的な錯視を伴い、視認しつつ各種の作業を行うことが可能となる。なお、ＨＭＤ３２は、図２に示すように片目の一部を覆うように配置される場合と、図２に示す場合とは異なり片目全体を覆うように配置される場合とがある。片目全体を覆うように配置される場合であっても、透明板あるいは半透明板により形成され、その一部に投影画像が表示されるようなものであれば、両目で立体的な錯視を伴い各種の作業を行うことが可能となる。
【００２０】
図３は、商品関連情報の例を示す説明図である。図３に示すように、商品関連情報は、各商品に一意に付与されている商品ＩＤと、商品の売り場（分類：陳列場所）を示す情報（商品カテゴリ）と、商品の名称である商品名と、商品の特徴を示す商品特徴情報と、写真などの商品の画像を示す商品画像データとを含む。なお、図示されていないが、商品特徴情報には、商品の価格、産地、写真、入荷日、セール対象品であるか否かなどの各種の情報を含む。商品関連情報は、あらかじめ作成されてＤＢ１１に格納さている。
【００２１】
次に、本例のＨＭＤシステム１００の動作について説明する。
図４は、本例のＨＭＤシステム１００における商品関連情報提供処理の例を示すフローチャートである。商品関連情報とは、商品の概要を示す商品概要情報と、商品の詳細を示す商品詳細情報とを含む情報である。ここでは、消費者用ＨＭＤユニット２１を装着した消費者Ｘが店舗Ａにおいて買い物をするときの処理について説明する。
【００２２】
商品関連情報提供処理において、先ず、消費者用ＨＭＤユニット２１は、消費者Ｘによる操作部の所定の操作に応じて、ＨＭＤサーバ１０に対して、基地局４０及び通信ネットワーク５０を介して起動したことを通知し、初期画面の要求を行う（ステップＳ１０１）。この要求は、消費者用ＨＭＤユニット２１に付与されている装置番号を提示して行う。ここでは、消費者Ｘが、店舗Ａに入り、消費者用ＨＭＤユニット２１を装着したあとに起動通知がなされる。
【００２３】
起動通知により初期画面の提供要求を受けると、ＨＭＤサーバ１０は、提示された装置番号が付与されている消費者用ＨＭＤユニット２１に対して、あらかじめ作成されている目次画面をＤＢ１１から読み出して、読み出した目次画面を通信ネットワーク５０及び基地局４０を介して送信する（ステップＳ１０２）。
【００２４】
目次画面を受信すると、消費者用ＨＭＤユニット２１は、自己が備えるＨＭＤ３２に受信した目次画面を表示する（ステップＳ１０３）。目次画面は、例えば図５に示すように、店舗Ａに設けられている精肉売場などの各売場、サービス品、その他の項目が、それぞれ区分けされた区分け領域に表示された画面である。すなわち、目次画面では、各項目を示す情報が、それぞれ、複数の区分け領域のいずれかに表示される。
【００２５】
次いで、消費者用ＨＭＤユニット２１は、ＨＭＤ３２の表示画面において、自己が備える視点検出部によって消費者Ｘが所定時間以上継続して同じ区分け領域内で視線（視点）を留めたか否かを監視し、その視点検出部によって所定時間以上継続して視線を留めた区分け領域を視点領域として検出する（ステップＳ１０４）。そして、消費者用ＨＭＤユニット２１は、検出した視点領域を示す視点領域情報をＨＭＤサーバ１０に対して送信する（ステップＳ１０５）。
【００２６】
ＨＭＤサーバ１０は、受信した視点領域情報が示す視点領域から、対応する目次画面内の区分け領域を特定し（ステップＳ１０６）、その区分け領域に対応する項目に係る商品についての商品概要情報画面を作成する（ステップＳ１０７）。例えば、ステップＳ１０６にて特定した区分け領域が「精肉売場」の項目であった場合には、ＨＭＤサーバ１０は、ステップＳ１０７にて、例えば図６に示すような、精肉売場に陳列されている商品についての商品概要を示す商品概要情報画面を作成する。
【００２７】
商品概要情報画面は、例えば図６に示すように、「精肉売場」なるタイトルと、精肉売場に陳列されている各商品についての概要を示す商品概要情報とが表示される表示領域が設けられている。商品概要情報の表示領域は、所定の大きさに区分けされた区分け領域によって構成され、各区分け領域に、各商品の概要情報、次ページへ移行するための「次ページへ」選択欄、前ページに戻るための「戻る」選択欄などが掲載される。
【００２８】
そして、ＨＭＤサーバ１０は、作成した商品概要情報画面を消費者用ＨＭＤユニット２１に対して送信する（ステップＳ１０８）。
【００２９】
商品概要情報画面を受信すると、消費者用ＨＭＤユニット２１は、自己が備えるＨＭＤ３２に受信した商品概要情報画面を表示する（ステップＳ１０９）。商品概要情報画面は、上述した図６に示したように、店舗Ａにおける所定の売場（ここでは精肉売場）に陳列されている各商品の、商品名、生産地、値段などが、それぞれ区分けされた区分け領域に表示された画面である。すなわち、商品概要情報画面では、各商品の概要を示す情報が、それぞれ、複数の区分け領域のいずれかに表示される。
【００３０】
次いで、消費者用ＨＭＤユニット２１は、ＨＭＤ３２の表示画面において、自己が備える視点検出部によって消費者Ｘが所定時間以上継続して同じ区分け領域内で視線（視点）を留めたか否かを監視し、その視点検出部によって所定時間以上継続して視線を留めた区分け領域を視点領域として検出する（ステップＳ１１０）。そして、消費者用ＨＭＤユニット２１は、検出した視点領域を示す視点領域情報をＨＭＤサーバ１０に対して送信する（ステップＳ１１１）。
【００３１】
ＨＭＤサーバ１０は、受信した視点領域情報が示す視点領域から、対応する商品概要情報画面内の区分け領域を特定し（ステップＳ１１２）、閲覧商品集計情報を更新するとともに（ステップＳ１１３）、その区分け領域に対応する商品概要に係る商品についての商品詳細情報画面を作成する（ステップＳ１１４）。例えば、ステップＳ１１２にて特定した区分け領域が「豚肉（○○県産）」の商品概要であった場合には、ＨＭＤサーバ１０は、ステップＳ１１３にて、「豚肉（○○県産）」についての商品詳細を示す商品詳細情報画面を作成する。なお、ステップＳ１１２にて特定した区分け領域が「次ページへ」であった場合には、ステップＳ１０７に戻って次ページの商品概要情報画面を作成し、ステップＳ１０８に移行する。また、ステップＳ１１２にて特定した区分け領域が「戻る」であった場合には、ステップＳ１０８にて商品概要情報画面のトップページを送信していればステップＳ１０２に戻って前ページの目次画面を作成し、ステップＳ１０８にて商品概要情報画面の２ページ目以降のページを送信していればステップＳ１０７に戻って前ページの商品概要情報画面を作成しステップＳ１０８にて送信する。
【００３２】
商品詳細情報画面は、図示はしないが、商品名、値段などに加えて、商品特徴情報や、商品画像などの詳細な情報が表示される表示領域が設けられている。なお、商品詳細情報画面には、前ページに戻るための「戻る」選択欄なども掲載される。
【００３３】
閲覧商品集計情報は、同じ区分け領域内で視線（視点）を留めることによって消費者が閲覧希望した商品（あるいは閲覧した商品）の履歴を示す情報である。閲覧商品集計情報は、具体的には、ある一定の期間内にどの商品が何回閲覧されたかなどを特定可能な情報とされる。
【００３４】
なお、本例では、上述したステップＳ１０７の商品概要情報画面の作成の際に、ＨＭＤサーバ１０は、閲覧商品集計情報を参照して、商品概要情報画面に概要情報を掲載する商品や、その掲載の順番などを決定する。具体的には、閲覧商品集計情報が示す閲覧回数が多い商品から順番に掲載するようにしたり、逆に閲覧回数が少ない商品から順番に掲載するようにすればよい。
【００３５】
そして、ＨＭＤサーバ１０は、作成した商品詳細情報画面を消費者用ＨＭＤユニット２１に対して送信する（ステップＳ１１５）。
【００３６】
商品詳細情報画面を受信すると、消費者用ＨＭＤユニット２１は、自己が備えるＨＭＤ３２に受信した商品詳細情報画面を表示する（ステップＳ１１６）。商品詳細情報画面は、上述したように、店舗Ａにおける所定の売場（ここでは精肉売場）に陳列されている所定の商品（豚肉（○○県産））についての詳細が表示された画面である。すなわち、商品詳細情報画面では、ある商品の詳細を示す情報が表示される。消費者Ｘにとっては、店舗Ａ内で歩きながらＨＭＤ３２にて商品の詳細情報を閲覧しつつ、その商品の実物を閲覧あるいは手にとって確認し、購入するか否かを決定することが可能となる。すなわち、商品カタログを見ながら実物を探索し、実物を直接目視して購入の有無を決定することが可能となる。
【００３７】
以上に説明したように、上述した一実施の形態では、ＨＭＤサーバ１０が、販売店Ａに陳列されている各商品の概要がそれぞれ区分けされた区分け領域に掲載されている商品概要情報掲載画面を消費者用ＨＭＤユニット２１に対して送信し、消費者用ＨＭＤユニット２１からの視点領域情報を取得し、取得した視点領域情報が示す視点領域に対応する区分け領域を特定し、特定した区分け領域に掲載されている商品の詳細情報が掲載されている商品詳細情報掲載画面を選択して消費者用ＨＭＤユニット２１に対して送信するとともに、消費者用ＨＭＤユニット２１が、受信した商品概要情報掲載画面や商品詳細情報掲載画面をＨＭＤ３２に表示し、ＨＭＤ３２に表示されている画面において消費者Ｘが所定期間以上連続して視線を留めた視点領域を検出してＨＭＤサーバ１０に送信する構成としたので、消費者用ＨＭＤユニット２１から取得した視点領域情報にもとづいて、消費者Ｘが注目している商品の詳細情報をＨＭＤ３２に表示させることができ、必要な情報をリアルタイムに提供することができるようになる。
【００３８】
また、上述した一実施の形態では、ＨＭＤサーバ１０が、特定した区分け領域に詳細情報が掲載されている商品を集計して閲覧商品集計情報を作成・更新する構成としたので、各商品における詳細情報の閲覧数などを特定することが可能となり、例えば注目商品などを認識することが可能となる。
【００３９】
また、上述した一実施の形態では、ＨＭＤサーバ１０が、閲覧商品集計情報を参照して商品概要情報掲載画面に設けられている各区分け領域に概要を掲載する各商品を決定するようにしているので、例えば注目商品を目立つ場所に掲載するなど、掲載順序や位置を工夫することが可能となる。
【００４０】
なお、上述した一実施の形態では、販売店に陳列されている各商品の概要が掲載されているカタログ画面としての商品概要情報掲載画面や、商品詳細情報掲載画面などを、買い物をしている消費者に提示する構成としていたが、販売店において注文可能な商品の注文受注伝票としての役割を有する商品注文画面を消費者に提示するようにしてもよい。すなわち、カタログ通信販売のように、注文用紙を兼ねるようにしてもよい。この場合、例えば、商品詳細情報掲載画面に、その商品を注文するか否かを選択するための区分け領域を設けるようにすればよい。あるいは、商品概要情報掲載画面に、各商品を注文するか否かを選択するための区分けエリアをそれぞれ設けるようにすればよい。さらに、注文受付内容などを提示する画面を設けるようにしてもよい。また、上記の構成とする場合には、商品詳細情報に、注文日から店舗へ到着する日までの時間を含むようにしてもよい。
【産業上の利用可能性】
【００４１】
本発明によれば、消費者用ＨＭＤユニットから取得した視点領域情報にもとづいて、消費者が注目している商品の詳細情報をＨＭＤに表示させ、必要な情報をリアルタイムに提供するのに有用である。
【図面の簡単な説明】
【００４２】
【図１】本発明の一実施の形態に係るＨＭＤシステムの構成の例を示すブロック図である。
【図２】消費者用ＨＭＤユニットが装着された状態の例を示す説明図である。
【図３】商品関連情報の例を示す説明図である。
【図４】商品関連情報提供処理の例を示すフローチャートである。
【図５】目次画面の表示状態の例を示す説明図である。
【図６】商品概要情報画面の表示状態の例を示す説明図である。
【符号の説明】
【００４３】
１０        ＨＭＤサーバ
１１        ＤＢ
２１〜２Ｎ  消費者用ＨＭＤユニット
４０        基地局
５０        通信ネットワーク
１００      ＨＭＤシステム
【図１】
2008015634.tif 000003
【図２】
2008015634.tif 000004
【図３】
2008015634.tif 000005
【図４】
2008015634.tif 000006
【図５】
2008015634.tif 000007
【図６】
2008015634.tif 000008